(57)【要約】【課題】時間と手間とを要せずにアミューズメント施設の各フロアの間取図届出書を作成することができる届出書作成システムを提供する。【解決手段】届出書作成システム１０は、アミューズメント施設１１，１２に設置されたクライアント端末１３，１４と、アミューズメント施設１１，１２の各フロアの間取りを示すフロア間取図、フロアに設置される各種複数の遊技機を示す遊技機図形を格納したサーバ１５とから形成されている。サーバ１５は、フロア間取図にそれら遊技機図形を配置しつつ、フロア間取図に配置された遊技機図形に続き番号を設定して間取図届出書を作成する間取図届出書作成手段と、作成した間取図届出書をクライアント端末１３，１４に送信する間取図届出書送信手段とを有し、クライアント端末１３，１４は、サーバ１５から受信した間取図届出書を出力する間取図届出書出力手段を有する。【選択図】図１
2009271886.tif 000002
【特許請求の範囲】
【請求項１】
複数のアミューズメント施設に設置されたクライアント端末と、それらアミューズメント施設の各フロアの間取りを示すフロア間取図、それらフロアに設置される各種複数の遊技機を示す遊技機図形を格納したサーバ装置とから形成され、
前記サーバ装置が、前記フロア間取図にそれら遊技機図形を配置しつつ、前記フロア間取図に配置された遊技機図形に続き番号を設定して間取図届出書を作成する間取図届出書作成手段と、作成した間取図届出書を前記クライアント端末に送信する間取図届出書送信手段とを有し、前記クライアント端末が、前記サーバ装置から受信した間取図届出書を出力する間取図届出書出力手段を有する届出書作成システム。
【請求項２】
前記間取図届出書作成手段では、前記フロア間取図の周縁に配置された所定の遊技機図形を出発点とし、その遊技機図形から前記フロア間取図の中心に向かって渦巻きを画くように各遊技機図形を順次認定しつつ、それら遊技機図形に順番に前記続き番号を設定する請求項１記載の届出書作成システム。
【請求項３】
前記サーバ装置には、遊技機の機器名、製造メーカー名、寸法および重量、消費電力が格納され、前記サーバ装置が、遊技機の機器名、製造メーカー名、寸法および重量、消費電力を前記続き番号順に表示しつつ、前記遊技機のゲーム内容区分、前記遊技機の総台数、前記フロアの総面積を表示した変更届出書を作成する変更届出書作成手段を有し、前記クライアント端末が、前記サーバ装置から受信した変更届出書を出力する変更届出書出力手段を有する請求項１または請求項２に記載の届出書作成システム。
【請求項４】
前記サーバ装置が、前記フロア間取図および各種複数の前記遊技機図形を表示する図形表示エリアを含むレイアウト作成画面を前記クライアント端末に送信する作成画面送信手段を有し、前記クライアント端末が、前記サーバ装置から送信されたレイアウト作成画面のうちの前記図形表示エリアに表示された遊技機図形を前記フロア間取図の中に描画することでそのフロア間取図を更新する間取図更新手段と、前記間取図更新手段によって更新したフロア間取図を含むレイアウト作成画面を前記サーバ装置に返信する作成画面返信手段とを有し、
前記間取図届出書作成手段では、前記クライアント端末から返信されたレイアウト作成画面のフロア間取図に配置された遊技機図形にあらたに続き番号を設定して間取図届出書を更新し、前記間取図届出書送信手段では、更新した間取図届出書を前記クライアント端末に送信する請求項１ないし請求項３いずれかに記載の届出書作成システム。
【請求項５】
前記フロア間取図に対する前記遊技機図形の描画には、遊技機図形のフロア間取図への新規書き込み、遊技機図形のフロア間取図への追加、遊技機図形のフロア間取図からの削除、遊技機図形のフロア間取図における変更が含まれる請求項４記載の届出書作成システム。
【請求項６】
前記レイアウト作成画面が、前記遊技機のゲーム内容を示す各種複数のゲーム内容識別情報を表示したゲーム内容識別情報表示エリアを含み、前記間取図更新手段では、前記遊技機図形を同一にしつつその遊技機図形のゲーム内容識別情報を変更可能、かつ、前記遊技機図形を変更しつつその遊技機図形のゲーム内容識別情報を変更可能である請求項４または請求項５に記載の届出書作成システム。
【請求項７】
前記遊技機図形が、遊技機の製造メーカー毎に区分され、前記間取図更新手段では、前記製造メーカーを指定することでそのメーカーの遊技機図形をフロア間取図に描画可能である請求項４ないし請求項６いずれかに記載の届出書作成システム。
【請求項８】
前記遊技機図形が、遊技機のジャンル毎に区分され、前記間取図更新手段では、前記ジャンルを指定することでそのジャンルの遊技機図形をフロア間取図に描画可能である請求項４ないし請求項７いずれかに記載の届出書作成システム。
【請求項９】
前記遊技機図形が、遊技機の機器名毎に区分され、前記間取図更新手段では、前記機器名を指定することでその機器名の遊技機図形をフロア間取図に描画可能である請求項４ないし請求項８いずれかに記載の届出書作成システム。
【発明の詳細な説明】
【技術分野】
【０００１】
本発明は、アミューズメント施設の各フロアの間取図届出書を作成する届出書作成システムに関する。
【背景技術】
【０００２】
飲食店に設置されたフロア端末と、フロア端末からの依頼に応じてフロアレイアウトを作成するサーバとから形成されたフロアレイアウト作成支援システムがある（特許文献１参照）。サーバは、フロアレイアウトのレイアウト作成領域とフロアにレイアウトされるフロア構成要素を特定するためのフロア構成要素特定情報を指定する構成要素指定領域とを含むフロアレイアウト作成画面データをフロア端末に送信するフロアレイアウト作成画面データ送信手段と、レイアウト作成領域において選択されたレイアウト作成領域内の選択領域をフロア端末から受信する選択領域受信手段と、構成要素指定領域において指定されたフロア構成要素特定情報をフロア端末から受信するフロア構成要素受信手段と、フロア端末から受信した選択領域にフロア端末から受信したフロア構成要素特定情報を表示することで、フロア端末に表示されているフロアレイアウト作成画面を更新してフロアレイアウト作成画面更新データを生成するフロアレイアウト作成画面更新データ生成手段と、フロアレイアウト作成画面更新データをフロア端末に送信するフロアレイアウト作成画面更新データ送信手段とを有する。
【特許文献１】特開２００６−３１３４７２号公報
【発明の開示】
【発明が解決しようとする課題】
【０００３】
前記特許文献１に開示のフロアレイアウト作成支援システムは、フロア端末においてレイアウト作成領域とテーブルや椅子等のフロア構成要素とが指定されると、サーバがフロアレイアウト作成画面更新データを生成し、そのデータをフロア端末に送信する。このシステムは、サーバを利用することで、飲食店フロアにおけるそれらフロア構成要素のレイアウトを作成することができる。なお、飲食店の新規開店にともなって所定の間取図届出書を行政機関に提出しなければならない場合があったり、フロア構成要素の追加、変更、削除等の改変にともなって間取図届出書を行政機関に提出しなければならない場合がある。しかし、このシステムでは、サーバが飲食店の間取図届出書を作成することはないから、新規開店やフロア構成要素の改変にともなう間取図届出書を各飲食店に設置されたフロア端末で作成しなければならず、間取図届出書の作成に時間と手間とを要する。また、このシステムでは、フロア端末においてフロア構成要素をレイアウト作成領域に追加することはできず、さらに、レイアウト作成領域に表示されたフロア構成要素をフロア端末において変更、削除することはできないから、各種複数のフロア構成要素をフロア端末から直接にレイアウト作成領域に描画することはできない。
【０００４】
本発明の目的は、時間と手間とを要せずにアミューズメント施設の各フロアの間取図届出書を作成することができる届出書作成システムを提供することにある。本発明の他の目的は、アミューズメント施設において遊技機レイアウトを自由に構築することができ、その遊技機レイアウトに対応した間取図届出書を作成することができる届出書作成システムを提供することにある。
【課題を解決するための手段】
【０００５】
前記課題を解決するための本発明にかかる届出書作成システムは、複数のアミューズメント施設に設置されたクライアント端末と、それらアミューズメント施設の各フロアの間取りを示すフロア間取図、それらフロアに設置される各種複数の遊技機を示す遊技機図形を格納したサーバ装置とから形成され、サーバ装置が、フロア間取図にそれら遊技機図形を配置しつつ、フロア間取図に配置された遊技機図形に続き番号を設定して間取図届出書を作成する間取図届出書作成手段と、作成した間取図届出書を前記クライアント端末に送信する間取図届出書送信手段とを有し、クライアント端末が、サーバ装置から受信した間取図届出書を出力する間取図届出書出力手段を有する。
【０００６】
本発明にかかる届出書作成システムの一例として、間取図届出書作成手段では、フロア間取図の周縁に配置された所定の遊技機図形を出発点とし、その遊技機図形からフロア間取図の中心に向かって渦巻きを画くように各遊技機図形を順次認定しつつ、それら遊技機図形に順番に続き番号を設定する。
【０００７】
本発明にかかる届出書作成システムの他の一例として、サーバ装置には、遊技機の機器名、製造メーカー名、寸法および重量、消費電力が格納され、サーバ装置が、遊技機の機器名、製造メーカー名、寸法および重量、消費電力を続き番号順に表示しつつ、遊技機のゲーム内容区分、遊技機の総台数、フロアの総面積を表示した変更届出書を作成する変更届出書作成手段を有し、クライアント端末が、サーバ装置から受信した変更届出書を出力する変更届出書出力手段を有する。
【０００８】
本発明にかかる届出書作成システムの他の一例としては、サーバ装置が、フロア間取図および各種複数の遊技機図形を表示する図形表示エリアを含むレイアウト作成画面をクライアント端末に送信する作成画面送信手段を有し、クライアント端末が、サーバ装置から送信されたレイアウト作成画面のうちの図形表示エリアに表示された遊技機図形をフロア間取図の中に描画することでそのフロア間取図を更新する間取図更新手段と、間取図更新手段によって更新したフロア間取図を含むレイアウト作成画面をサーバ装置に返信する作成画面返信手段とを有し、間取図届出書作成手段では、クライアント端末から返信されたレイアウト作成画面のフロア間取図に配置された遊技機図形にあらたに続き番号を設定して間取図届出書を更新し、間取図届出書送信手段では、更新した間取図届出書をクライアント端末に送信する。
【０００９】
本発明にかかる届出書作成システムの他の一例として、フロア間取図に対する遊技機図形の描画には、遊技機図形のフロア間取図への新規書き込み、遊技機図形のフロア間取図への追加、遊技機図形のフロア間取図からの削除、遊技機図形のフロア間取図における変更が含まれる。
【００１０】
本発明にかかる届出書作成システムの他の一例としては、レイアウト作成画面が遊技機のゲーム内容を示す各種複数のゲーム内容識別情報を表示したゲーム内容識別情報表示エリアを含み、間取図更新手段では、遊技機図形を同一にしつつその遊技機図形のゲーム内容識別情報を変更可能、かつ、遊技機図形を変更しつつその遊技機図形のゲーム内容識別情報を変更可能である。
【００１１】
本発明にかかる届出書作成システムの他の一例としては、遊技機図形が遊技機の製造メーカー毎に区分され、間取図更新手段では、製造メーカーを指定することでそのメーカーの遊技機図形をフロア間取図に描画可能である。
【００１２】
本発明にかかる届出書作成システムの他の一例としては、遊技機図形が遊技機のジャンル毎に区分され、間取図更新手段では、ジャンルを指定することでそのジャンルの遊技機図形をフロア間取図に描画可能である。
【００１３】
本発明にかかる届出書作成システムの他の一例としては、遊技機図形が遊技機の機器名毎に区分され、間取図更新手段では、機器名を指定することでその機器名の遊技機図形をフロア間取図に描画可能である。
【発明の効果】
【００１４】
本発明にかかる届出書作成システムによれば、サーバ装置がフロア間取図に遊技機図形を配置しつつ、それら遊技機図形に続き番号を設定して間取図届出書を作成するから、各アミューズメント施設において各フロアのフロア間取図や間取図届出書を作成する必要はなく、各アミューズメント施設においてフロア間取図や間取図届出書を作成する場合の時間と手間とを省くことができる。この届出書作成システムは、遊技機図形を配置したフロア間取図に基づいてサーバ装置が間取図届出書を作成するから、クライアント端末において間取図届出書を作成することによる間取図届出書の不備を防ぐことができるとともに、間取図届出書における形式の不統一を防ぐことができる。
【００１５】
フロア間取図の周縁に配置された所定の遊技機図形を出発点とし、その遊技機図形からフロア間取図の中心に向かって渦巻きを画くように各遊技機図形を順次認定しつつ、それら遊技機図形に順番に続き番号を設定する届出書作成システムは、所定の規則に従って遊技機図形に続き番号を設定することができ、遊技機図形のフロアにおける配置を無視して続き番号が遊技機図形に不規則に設定されてしまうことはなく、遊技機図形のフロアにおける配置にしたがって続き番号を順序正しく整然と設定することができる。
【００１６】
サーバ装置が遊技機の機器名、製造メーカー名、寸法および重量、消費電力を続き番号順に表示しつつ、遊技機のゲーム内容区分、遊技機の総台数、フロアの総面積を表示した変更届出書を作成する届出書作成システムは、サーバ装置が遊技機図形を配置したフロア間取図に基づいて、続き番号順にそれら事項を表示しつつ、遊技機の総台数やフロアの総面積を表示するから、各アミューズメント施設において変更届出書を作成する必要はなく、各アミューズメント施設において変更届出書を作成する場合の時間と手間とを省くことができる。この届出書作成システムは、遊技機図形を配置したフロア間取図に基づいてサーバ装置が変更届出書を作成するから、クライアント端末において変更届出書を作成することによる変更届出書の不備を防ぐことができるとともに、変更届出書における形式の不統一を防ぐことができる。
【００１７】
サーバ装置がフロア間取図および各種複数の遊技機図形を表示する図形表示エリアを含むレイアウト作成画面をクライアント端末に送信し、クライアント端末がサーバ装置から送信されたレイアウト作成画面のうちの図形表示エリアに表示された遊技機図形をフロア間取図の中に描画することでそのフロア間取図を更新する届出書作成システムは、クライアント端末を介して遊技機図形をフロア間取図の中に描画することでフロア間取図を更新することができ、クライアント端末を管理するアミューズメント施設において遊技機レイアウトを自由に構築することができる。この届出書作成システムは、クライアント端末によってフロア間取図が更新されたとしても、サーバ装置がフロア間取図の更新に対応した間取図届出書を作成するから、アミューズメント施設においてフロア間取図更新にともなう間取図届出書の変更を行う必要はなく、間取図届出書の変更にかかる時間と手間とを省くことができる。
【００１８】
フロア間取図に対する遊技機図形の描画として、遊技機図形のフロア間取図への新規書き込み、遊技機図形のフロア間取図への追加、遊技機図形のフロア間取図からの削除、遊技機図形のフロア間取図における変更が含まれる届出書作成システムは、フロア間取図に遊技機図形を自由に書き入れることや遊技機図形を自由に追加することができるから、クライアント端末においてフロア間取図に各種複数の遊技機図形を自由に配置することができ、アミューズメント施設において各フロアの希望の遊技機レイアウトを構築することができる。この届出書作成システムは、フロア間取図から遊技機図形を自由に削除することや遊技機図形を自由に変更することができるから、フロア間取図において遊技機図形の配置を自由に変えることができ、アミューズメント施設において各フロアの希望の遊技機レイアウトを構築することができる。この届出書作成システムは、クライアント端末によってフロア間取図にあらたに遊技機図形が書き込まれたり、遊技機図形の追加、変更、削除が行われたとしても、サーバ装置がそれらに対応した間取図届出書を作成するから、アミューズメント施設においてフロア間取図更新にともなう間取図届出書の変更を行う必要はなく、間取図届出書の変更にかかる時間と手間とを省くことができる。
【００１９】
クライアント端末が遊技機図形を同一にしつつその遊技機図形のゲーム内容識別情報を変更可能、かつ、遊技機図形を変更しつつその遊技機図形のゲーム内容識別情報を変更可能な届出書作成システムは、遊技機の筐体を同一にした状態で、その遊技機のゲーム内容を自由に変更することができるから、ゲーム内容のみの変更が必要になったとしても、アミューズメント施設において遊技機の筐体を変えずにアプリケーションのみを変更することができ、フロア間取図においてゲーム内容のみの変更に対応することができる。このシステムは、遊技機の筐体を変更しつつ、その遊技機のゲーム内容を自由に変更することができるから、フロア間取図において各種複数の筐体の変更にともなうゲーム内容の変更に対応することができる。このシステムは、クライアント端末によって遊技機図形のゲーム内容が変更されたとしても、サーバ装置がそれに対応した間取図届出書を作成するから、アミューズメント施設においてゲーム内容変更にともなう間取図届出書の変更を行う必要はなく、間取図届出書の変更にかかる時間と手間とを省くことができる。
【００２０】
クライアント端末において製造メーカーを指定することでそのメーカーの遊技機図形をフロア間取図に描画可能な届出書作成システムは、アミューズメント施設において遊技機のメーカーを指定しつつ、そのメーカーの遊技機図形をフロア間取図に描画することができるから、人気メーカーの遊技機をフロア間取図に配置することができ、希望のメーカーの遊技機を配置した遊技機レイアウトを構築することができる。この届出書作成システムは、特定の製造メーカーの遊技機図形を配置したフロア間取図に基づいてサーバ装置が間取図届出書を作成するから、各アミューズメント施設において間取図届出書を作成する場合の時間と手間とを省くことができる。
【００２１】
クライアント端末において遊技機のジャンルを指定することでそのジャンルの遊技機図形をフロア間取図に描画可能な届出書作成システムは、アミューズメント施設において遊技機のジャンルを指定しつつ、そのジャンルの遊技機図形をフロア間取図に描画することができるから、人気ジャンルの遊技機をフロア間取図に配置することができ、希望のジャンルの遊技機を配置した遊技機レイアウトを構築することができる。この届出書作成システムは、特定のジャンルの遊技機図形を配置したフロア間取図に基づいてサーバ装置が間取図届出書を作成するから、各アミューズメント施設において間取図届出書を作成する場合の時間と手間とを省くことができる。
【００２２】
クライアント端末において遊技機の機器名を指定することでその機器名の遊技機図形をフロア間取図に描画可能な届出書作成システムは、アミューズメント施設において遊技機の機器名を指定しつつ、その機器名の遊技機図形をフロア間取図に描画することができるから、人気の遊技機をフロア間取図に配置することができ、希望の遊技機を設置した遊技機レイアウトを構築することができる。この届出書作成システムは、特定の機器名の遊技機図形を配置したフロア間図に基づいてサーバ装置が間取図届出書を作成するから、各アミューズメント施設において間取図届出書を作成する場合の時間と手間とを省くことができる。
【発明を実施するための最良の形態】
【００２３】
添付の図面を参照し、本発明にかかる届出書作成システムの詳細を説明すると、以下のとおりである。図１は、一例として示す届出書作成システム１０の構成図である。この届出書作成システム１０は、アミューズメント施設１１，１２に設置されたクライアント端末１３，１４と、それらアミューズメント施設１１，１２に配置された各遊技機（ゲーム機）の機器情報をクライアント端末１３，１４に提供するサーバ１５（サーバ装置）とから形成されている。遊技機は、ビデオゲーム、カードゲーム、メダルゲーム、プライズゲーム、パチンコゲーム、パチスロゲーム、メダル貸出等のゲーム内容区分（ジャンル）によって区別される。また、ロールプレイングゲーム、シューティングゲーム、レーシングゲーム、アドベンチャーゲーム、シミュレーションゲーム、格闘技ゲーム等のゲーム内容区分（ジャンル）によって区別される。
【００２４】
アミューズメント施設１１，１２には、各種複数の遊技機が設置された店舗のみならず、それら店舗を地域ごとに管理する支店、各支店を管理する本店等が含まれる。アミューズメント施設１１，１２には、遊技機を設置するフロアが作られている。フロアは、同一の階に複数作られる場合や異なる階に作られる場合がある。なお、図１では、アミューズメント施設１１，１２を２つ図示しているが、実際には３つ以上のアミューズメント施設が存在する。また、アミューズメント施設１１，１２において１つのクライアント端末１３，１４を図示しているが、実際には２つ以上のクライアント端末がアミューズメント施設に設置されている。このシステム１０では、クライアント端末１３，１４やサーバ１５がインターネット１６を介してネットワークを形成している。
【００２５】
クライアント端末１３，１４は、アミューズメント施設１１，１２の店舗、支店、本店が保有管理している。クライアント端末１３，１４は、中央処理部（ＣＰＵまたはＭＰＵ）とメモリとを備えたコンピュータであり、ＤＮＳサーバ機能、データベースサーバ機能、Ｗｅｂサーバ機能を有する。それら端末１３，１４には、大容量ハードディスクが内蔵され、キーボードやマウス等の入力装置、ディスプレイ１７，１８やプリンタ（図示せず）等の出力装置がインターフェイスを介して接続されている。
【００２６】
クライアント端末１３，１４は、インターネット１６に接続可能であり、インターネット１６を利用することで、サーバ１５にアクセスかつログインすることができる。クライアント端末１３，１４のメモリには、各種のアプリケーションが格納されている。クライアント端末１３，１４のハードディスクには、店舗データファイルが作られている。店舗データファイルには、各店舗や支店、本店を特定する店舗特定情報（たとえば、店舗識別番号）、各店舗に設置された遊技機を特定する遊技機特定情報（たとえば、遊技機識別番号）が格納されている。
【００２７】
クライアント端末１３，１４の中央処理部は、オペレーティングシステムによる制御に基づいて、メモリに格納されたアプリケーションを起動し、起動したアプリケーションに従って、以下の各手段を実行する。クライアント端末１３，１４の中央処理部は、サーバ１５から送信された間取図届出書（フロア間取図更新後の間取図届出書を含む）を受信し、受信した間取図届出書を店舗データファイルに格納する間取図届出書記憶手段を実行するとともに、受信した間取図届出書を出力する間取図届出書出力手段を実行する。中央処理部は、サーバ１５から送信された変更届出書（フロア間取図更新後の変更届出書を含む）を受信し、受信した変更届出書を店舗データファイルに格納する変更届出書記憶手段を実行するとともに、受信した変更届出書を出力する変更届出書出力手段を実行する。
【００２８】
間取図届出書や変更届出書は、風俗営業法の規定に準拠して作成される。それら届出書は、アミューズメント施設１１，１２を新規に開設する場合に所轄の行政機関に提出する。また、アミューズメント施設１１，１２の各フロアに配置された遊技機の配置変更や遊技機の入れ替え、撤去等が行われた後、その程度に応じて所轄の行政機関に提出する。間取図届出書は、遊技機を示す遊技機図形を申請対象のフロアの間取図に配置し、それら遊技機図形に続き番号を設定した書類であり、変更届出書は、続き番号順に遊技機の機器名、製造メーカー名、寸法および重量、消費電力を表示するとともに、遊技機のゲーム内容区分、遊技機の総台数、フロアの総面積を表示した書類である。
【００２９】
クライアント端末１３，１４の中央処理部は、サーバ１５から送信されたレイアウト作成画面データ（更新後のレイアウト作成画面データを含む）を受信する作成画面受信手段を実行する。レイアウト作成画面には、フロアの間取りを平面的に示すフロア間取図表示エリア、各種複数の遊技機図形（遊技機の外形を平面的に表示した図形）を表示する図形表示エリア、遊技機のゲーム内容を示す各種複数のゲーム内容識別情報を表示するゲーム内容識別情報表示エリア、各遊技機の個別情報を表示する個別情報表示エリアが表示される。
【００３０】
クライアント端末１３，１４の中央処理部は、サーバ１５から送信されたレイアウト作成画面のうちの図形表示エリアに表示されたゲーム機図形をフロア間取図表示エリアの中に描画することでフロア間取図を更新する間取図更新手段を実行する。中央処理部は、間取図更新手段によって更新したフロア間取図を含むレイアウト作成画面データをサーバ１５に返信する作成画面返信手段を実行する。フロア間取図表示エリアへの遊技機図形の描画には、遊技機図形のフロア間取図への新規書き込み、遊技機図形のフロア間取図への追加、遊技機図形のフロア間取図からの削除、遊技機図形のフロア間取図における変更が含まれる。
【００３１】
間取図更新手段では、遊技機図形を同一にしつつその遊技機図形の遊技機のゲーム内容（たとえば、ビデオゲーム、カードゲーム、メダルゲーム、プライズゲーム、パチンコゲーム、パチスロゲーム、メダル貸出、ロールプレイングゲーム、シューティングゲーム、レーシングゲーム、アドベンチャーゲーム、シミュレーションゲーム、格闘技ゲーム）を示すゲーム内容識別情報を変更可能である。また、遊技機図形を変更しつつその遊技機図形の遊技機のゲーム内容を示すゲーム内容識別情報を変更可能である。間取図更新手段では、遊技機の製造メーカーを指定することでそのメーカーの遊技機図形をフロア間取図表示エリアに描画可能であり、遊技機のジャンルを指定することでそのジャンルの遊技機図形をフロア間取図表示エリアに描画可能である。さらに、遊技機の機器名を指定することでその機器名の遊技機図形をフロア間取図表示エリアに描画可能である。
【００３２】
クライアント端末１３，１４の中央処理部は、サーバ１５から送信されたレイアウト作成画面データ（更新後のレイアウト作成画面データを含む）を店舗データファイルに格納する作成画面記憶手段を実行する。さらに、レイアウト作成画面（更新後のレイアウト作成画面や過去の任意の時点におけるレイアウト作成画面を含む）をディスプレイ１７，１８に表示し、そのレイアウト作成画面をプリンタを介して出力する作成画面出力手段を実行する。店舗データファイルに格納されるレイアウト作成画面データは、日付情報（年月日情報）によって日付別に区分される。
【００３３】
サーバ１５は、このシステム１０を提供する事業者が保有管理している。サーバ１５は、中央処理部（ＣＰＵまたはＭＰＵ）とメモリとを備えたコンピュータであり、ＤＮＳ機能、データベース機能、Ｗｅｂ機能を有する。サーバ１５は、インターネット１６に接続可能であり、インターネット１６を利用することで、クライアント端末１３，１４のみならず、不特定多数のサーバにアクセスかつログインすることができる。サーバ１５には、図示はしていないが、大容量ハードディスクが内蔵され、キーボードやマウス等の入力装置、ディスプレイやプリンタ等の出力装置がインターフェイスを介して接続されている。
【００３４】
サーバ１５のメモリには、各種のアプリケーションが格納されている。サーバ１５のハードディスクには、各アミューズメント施設１１，１２の店舗毎に区分された遊技機データファイルが作られている。遊技機データファイルには、店舗特定情報、遊技機特定情報、図形表示エリアに表示される各種複数の遊技機図形、遊技機の製造メーカー情報（たとえば、メーカー識別番号）、遊技機のゲーム内容区分情報（たとえば、ゲーム内容区分（ジャンル）識別番号）、遊技機の機器名情報（たとえば、機器識別番号）、遊技機の機器寸法（幅、奥行き、高さ）、遊技機の機器重量、遊技機の消費電力、遊技機の利用回数および利用回数に対する利用料金が格納されている。遊技機図形には、製造メーカー情報、ジャンル情報、機器名情報が設定されている。遊技機図形は、遊技機の製造メーカー毎に区分され、遊技機のジャンル毎に区分されているとともに、遊技機の機器名毎に区分されている。遊技機データファイルには、クライアント端末１３，１４から送信された更新後のフロア間取図を含むレイアウト作成画面データ等が格納される。
【００３５】
サーバ１５では、既存の製造メーカー情報やゲーム内容区分情報、機器名情報を遊技機データファイルから削除することができ、また、あらたなメーカー情報やゲーム内容区分情報、機器名情報を作成し、それらを遊技機データファイルに格納することもできる。サーバ１５では、既存の遊技機図形を遊技機データファイルから削除することができ、また、あらたな遊技機図形（製造メーカー情報、遊技機のゲーム内容区分情報、遊技機の機器名情報、遊技機の機器寸法、遊技機の機器重量、遊技機の消費電力、遊技機の利用回数および利用回数に対する利用料金を含む）を作成し、その遊技機図形を遊技機データファイルに格納することもできる。サーバ１５は、ＩＰアドレスとドメイン名との対応づけを行うとともに、記憶した各種情報をＨＴＭＬに変換した後、それら情報をクライアント端末１３，１４に送信し、それら情報をクライアント端末１３，１４において閲覧可能とする。
【００３６】
サーバ１５の中央処理部は、オペレーティングシステムによる制御に基づいて、メモリに格納されたアプリケーションを起動し、起動したアプリケーションに従って、以下の各手段を実行する。サーバ１５の中央処理部は、各店舗のフロア間取図を作成する間取図作成手段を実行する。フロア間取図には、フロアのみを表示した間取図、フロアに各遊技機図形を表示した間取図がある。中央処理部は、作成したフロア間取図に各遊技機図形を配置しつつ、フロア間取図に配置した遊技機図形に続き番号（連続番号）を設定して間取図届出書を作成する間取図届出書作成手段を実行し、作成した間取図届出書を遊技機データファイルに格納する間取図届出書記憶手段を実行する。間取図届出書作成手段では、フロア間取図の周縁に配置された所定の遊技機を出発点とし、その遊技機からフロア間取図の中心に向かって渦巻きを画くように各遊技機を順次認定しつつ、それら遊技機に順番に続き番号を設定する。中央処理部は、作成した間取図届出書をクライアント端末１３，１４に送信する間取図届出書送信手段を実行する。
【００３７】
サーバ１５の中央処理部は、遊技機の機器名、製造メーカー名、寸法および重量、消費電力を続き番号順に表示しつつ、遊技機の種別区分、遊技機の総台数を表示した変更届出書を作成する変更届出書作成手段を実行し、作成した変更届出書を遊技機データファイルに格納する変更届出書記憶手段を実行する。中央処理部は、作成した変更届出書をクライアント端末１３，１４に送信する変更届出書送信手段を実行する。中央処理部は、クライアント端末１３，１４がレイアウト作成画面の送信を要求したときに（クライアント端末１３，１４が過去から現在までの所定の日付を指定してレイアウト作成画面データの送信を要求した場合を含む）、レイアウト作成画面をレイアウト作成画面データとしてクライアント端末１３，１４に送信する作成画面送信手段を実行する。中央処理部は、クライアント端末１３，１４から送信された更新後のフロア間取図を含むレイアウト作成画面データを受信し、そのレイアウト作成画面データを時系列に記憶する作成画面記憶手段を実行する。
【００３８】
間取図届出書作成手段では、クライアント端末１３，１４から返信されたレイアウト作成画面のフロア間取図に配置された遊技機図形にあらたに続き番号を設定して間取図届出書を更新し、間取図届出書送信手段では、更新した間取図届出書をクライアント端末１３，１４に送信する。変更届出書作成手段では、クライアント端末１３，１４から返信されたレイアウト作成画面のフロア間取図に基づいて、あらたに遊技機の機器名、製造メーカー名、寸法および重量、消費電力を続き番号順に表示しつつ、遊技機の種別区分、遊技機の総台数、フロアの総面積を表示して変更届出書を更新し、変更届出書送信手段では、更新した変更届出書をクライアント端末１３，１４に送信する。
【００３９】
図２は、クライアント端末１３，１４のディスプレイ１７，１８に表示された間取図届出書１９の一例を示す図であり、図３は、ディスプレイ１７，１８に表示された変更届出書２０の一例を示す図である。図４は、図３から続く変更届出書２１の一例を示す図である。図３，４では、変更届出書２０，２１の記載事項を省略して示す。サーバ１５は、アミューズメント施設１１，１２の店舗のフロア間取図（フロアのみの間取図およびフロアに遊技機図形を配置した間取図）を作成し（間取図作成手段）、作成したフロア間取図を間取図データとして遊技機データファイルに格納する。サーバ１５は、フロアに遊技機図形Ｍ１〜Ｍ７を配置した間取図において、それら遊技機図形Ｍ１〜Ｍ７に続き番号を設定して間取図届出書１９を作成する（間取図届出書作成手段）。または、クライアント端末１３，１４からの間取図届出書送信要求があった後、間取図届出書１９を作成する（間取図届出書作成手段）。
【００４０】
サーバ１５は、フロアに遊技機図形Ｍ１〜Ｍ７を配置した間取図に基づいて、遊技機の機器名、製造メーカー名、寸法および重量、消費電力を続き番号順に表示しつつ、遊技機の種別区分、総台数を表示した変更届出書２１を作成する（変更届出書作成手段）。または、クライアント端末１３，１４からの変更届出書送信要求があった後、変更届出書２１を作成する（変更届出書作成手段）。サーバ１５の遊技機データファイルには、過去から現在までに作成した各店舗のフロア間取図データを含むレイアウト作成画面データ、クライアント端末１３，１４から送信された更新後のフロア間取図データを含むレイアウト作成画面データが格納されている。遊技機データファイルには、過去から現在までに作成した間取図届出書１９、変更届出書２０，２１が格納されている。
【００４１】
クライアント端末１３，１４を起動させた後、それら端末１３，１４をインターネット１６に接続し、インターネット１６を介してそれら端末１３，１４をレイアウト作成支援サーバ１５にログインさせる。サーバ１５は、クライアント端末１３，１４のログイン時に所定の認証手続を要求する。認証では、それら端末１３，１４に届出書作成のアプリケーションを利用させる正当性があるかを判断する。認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００４２】
クライアント端末１３，１４をインターネット１６に接続した後、サーバ１５のＵＲＬを利用してサーバ１５にアクセスする。サーバ１５は、それら端末１３，１４のディスプレイ１７，１８に認証画面（図示せず）を表示させる。認証画面には、ユーザ名の入力エリアとパスワードの入力エリアとが表示される。クライアント端末１３，１４では、それら入力エリアにユーザ名とパスワードとを入力した後、ログインボタンを押す。サーバ１５は、入力されたユーザ名およびパスワードをメモリに格納されたそれらと比較し、ユーザ名およびパスワードの正誤を判断する。ユーザ名およびパスワードが正しく認証結果が可である場合、サーバ１５は、クライアント端末１３，１４のサーバ１５へのログインを許可する。ユーザ名やパスワードが誤っていて認証結果が不可である場合、サーバ１５は、それら端末１３，１４のディスプレイ１７，１８にユーザ名やパスワードの誤りメッセージを表示するとともに、サーバ１５へのログイン不可メッセージを表示する。
【００４３】
クライアント端末１３，１４がサーバ１５にログインすると、サーバ１５は、それら端末１３，１４のディスプレイ１７，１８に初期画面（図示せず）を表示させる。初期画面には、届出書送信ボタン、間取図新規作成ボタン、間取図更新ボタン、ログアウトボタンが表示される。初期画面から届出書送信ボタンを押すと、ディスプレイ１７，１８には、間取図届出書送信ボタン、変更届出書送信ボタンが表示される（図示せず）。間取図届出書送信ボタンを押すと、ディスプレイ１７，１８には、対象店舗入力エリアおよび対象店舗のプルダウンリスト、フロア階層入力エリア、実行ボタン、クリアボタン、キャンセルボタンが表示される（図示せず）。対象店舗入力エリアに対象店舗名を入力または対象店舗のプルダウンリストから対象店舗を選択し、フロア階層入力エリアにフロア階層を入力した後、実行ボタンを押す。実行ボタンを押すと、指定された店舗の指定されたフロア階層における間取図届出書１９の送信要求がクライアント端末１３，１４からサーバ１５に送信される。
【００４４】
サーバ１５は、指定店舗、指定フロア階層における間取図届出書１９があらかじめ遊技機データファイルに格納されている場合、その間取図届出書１９を遊技機データファイルから抽出し、間取図届出書１９をクライアント端末１３，１４に送信する（間取図届出書送信手段）。サーバ１５は、指定店舗、指定フロア階層における間取図届出書１９が遊技機データファイルに格納されていない場合、指定店舗、指定フロア階層における間取図を使用し、その間取図に配置された各遊技機図形Ｍ１〜Ｍ７に続き番号を設定して間取図届出書１９を作成した後（間取図届出書作成手段）、作成した間取図届出書１９を遊技機データファイルに格納するとともに（間取図届出書記憶手段）、その間取図届出書１９をクライアント端末１３，１４に送信する（間取図届出書送信手段）。サーバ１５は、フロア間取図の周縁に配置された所定の遊技機図形を出発点とし、その遊技機図形からフロア間取図の中心に向かって時計回り方向へ渦巻きを画くように各遊技機図形を順次認定しつつ、それら遊技機図形に順番に続き番号を設定する。なお、フロア間取図の中心に向かって反時計回り方向へ渦巻きを画くように各遊技機図形を順次認定しつつ、それら遊技機図形に順番に続き番号を設定する場合もある。
【００４５】
クライアント端末１３，１４は、サーバ１５から送信された間取図届出書１９を受信し、その間取図届出書１９を店舗データファイルに格納するとともに（間取図届出書記憶手段）、間取図届出書１９をディスプレイ１７，１８に表示する（間取図届出書出力手段）。間取図届出書１９は、プリンタから出力される（間取図届出書出力手段）。ディスプレイ１７，１８に表示された間取図届出書１９は、図２に示すように、フロア間取図に各種複数の遊技機図形Ｍ１〜Ｍ７が配置され、それら遊技機図形Ｍ１〜Ｍ７に続き番号（連続）が設定されている。なお、図２の間取図届出書１９には、店舗，日付表示エリア２２、フロア表示エリア２３、メーカープルダウンリスト２４、ジャンルプルダウンリスト２５、機器名プルダウンリスト２６、保存ボタン２７、開くボタン２８、検索ボタン２９、図形表示エリア３０が表示されている。
【００４６】
初期画面の届出書送信ボタンを押した後、ディスプレイ１７，１８に表示された間取図届出書送信ボタン、変更届出書送信ボタンのうち、変更届出書送信ボタンを押すと、ディスプレイ１７，１８には、対象店舗入力エリアおよび対象店舗のプルダウンリスト、フロア階層入力エリア、実行ボタン、クリアボタン、キャンセルボタンが表示される。対象店舗入力エリアに対象店舗名を入力または対象店舗のプルダウンリストから対象店舗を選択し、フロア階層入力エリアにフロア階層を入力した後、実行ボタンを押す。実行ボタンを押すと、指定された店舗の指定されたフロア階層における変更届出書の送信要求がクライアント端末１３，１４からサーバ１５に送信される。
【００４７】
サーバ１５は、指定店舗、指定フロア階層における変更届出書２１があらかじめ遊技機データファイルに格納されている場合、その変更届出書２１を遊技機データファイルから抽出し、変更届出書２０，２１をクライアント端末１３，１４に送信する（変更届出書送信手段）。サーバ１５は、指定店舗、指定フロア階層における変更届出書２１が遊技機データファイルに格納されていない場合、指定店舗、指定フロア階層における間取図に基づいて、変更届出書２１を作成した後（変更届出書作成手段）、変更届出書２０，２１を遊技機データファイルに格納するとともに（変更届出書記憶手段）、その変更届出書２０，２１をクライアント端末１３，１４に送信する（変更届出書送信手段）。
【００４８】
クライアント端末１３，１４は、サーバから送信された変更届出書２０，２１を受信し、その変更届出書２０，２１を店舗データファイルに格納するとともに（変更届出書記憶手段）、変更届出書２０，２１をディスプレイ１７，１８に表示する（変更届出書出力手段）。変更届出書２０，２１は、プリンタから出力される（変更届出書出力手段）。ディスプレイ１７，１８に表示された変更届出書２０，２１には、図３に示すように、申請者の氏名または名称、住所、法人の代表者名、営業所（店舗）の名称、営業所（店舗）の住所、風俗営業の種別、許可年月日、許可番号、設置年月日、設置番号等が表示される。また、図４に示すように、遊技機の種別区分、遊技機の機器名、製造メーカー名、寸法および重量、消費電力が続き番号順に表示され、遊技機の種別区分、遊技機の総台数が表示される。アミューズメント施設１１，１２では、プリンタから出力した間取図届出書１９および変更届出書２０，２１をそのまま行政機関に提出し、風俗営業法の許認可を受けることができる。
【００４９】
このシステム１０は、サーバ１５がフロア間取図に遊技機図形Ｍ１〜Ｍ７を配置しつつ、それら遊技機図形Ｍ１〜Ｍ７に続き番号を設定して間取図届出書１９を作成するから、各アミューズメント施設１１，１２において各フロアのフロア間取図や間取図届出書１９を作成する必要はなく、アミューズメント施設１１，１２においてフロア間取図や間取図届出書１９を作成する場合の時間と手間とを省くことができる。このシステム１０は、遊技機図形Ｍ１〜Ｍ７を配置したフロア間取図に基づいてサーバ１５が間取図届出書１９を作成するから、クライアント端末１３，１４において間取図届出書１９を作成することによる間取図届出書１９の不備を防ぐことができるとともに、間取図届出書１９における形式の不統一を防ぐことができる。
【００５０】
このシステム１０は、サーバ１５が遊技機図形Ｍ１〜Ｍ７を配置したフロア間取図に基づいて、遊技機の機器名、製造メーカー名、寸法および重量、消費電力を続き番号順に表示しつつ、遊技機のゲーム内容区分、遊技機の総台数を表示した変更届出書２１を作成するから、各アミューズメント施設１１，１２において変更届出書２１を作成する必要はなく、アミューズメント施設１１，１２において変更届出書２１を作成する場合の時間と手間とを省くことができる。このシステム１０は、遊技機図形Ｍ１〜Ｍ７を配置したフロア間取図に基づいてサーバ１５が変更届出書２１を作成するから、クライアント端末１３，１４において変更届出書２１を作成することによる変更届出書２１の不備を防ぐことができるとともに、変更届出書２１における形式の不統一を防ぐことができる。
【００５１】
図５は、クライアント端末１３，１４のディスプレイ１７，１８に表示されたレイアウト作成画面の一例を示す図であり、図６は、フロア間取図表示エリア３１に描画した遊技機図形Ｍ５の遊技機情報を表示したレイアウト作成画面を示す図である。図７は、遊技機図形Ｍ１〜Ｍ７を書き込んだ後のレイアウト作成画面を示す図である。図５は、遊技機レイアウトを新規に作成する場合のレイアウト作成画面であり、フロアのみを表示したフロア間取図を示す。図６では、登録事項入力エリア３２に表示される登録事項を省略して示す。
【００５２】
初期画面の間取図新規作成ボタンを押すと、ディスプレイ１７，１８には、対象店舗入力エリアおよび対象店舗のプルダウンリスト、フロア階層入力エリア、実行ボタン、クリアボタン、キャンセルボタンが表示される。対象店舗入力エリアに対象店舗名を入力または対象店舗のプルダウンリストから対象店舗を選択し、フロア階層入力エリアにフロア階層を入力した後、実行ボタンを押す。実行ボタンを押すと、サーバ１５は、選択された店舗の選択された階層におけるレイアウト作成画面データを遊技機データファイルから抽出し、そのレイアウト作成画面データをクライアント端末１３，１４に送信する（作成画面送信手段）。
【００５３】
クライアント端末１３，１４は、サーバ１５から送信されたレイアウト作成画面データを受信し（作成画面受信手段）、そのレイアウト作成画面をディスプレイ１７，１８に表示する（作成画面出力手段）。フロア間取図表示エリア３１には、図５に示すように、フロアのみを表示したフロア間取図が表示される。レイアウト作成画面には、フロア間取図表示エリア３１の他に、店舗，日付表示エリア２２、フロア表示エリア２３、メーカープルダウンリスト２４、ジャンルプルダウンリスト２５、機器名プルダウンリスト２６、保存ボタン２７、開くボタン２８、検索ボタン２９、図形表示エリア３０が表示されている。
【００５４】
店舗，日付表示エリア２２には、選択した店舗名と日付とが表示される。フロア階表示エリア２３には、フロア階層が表示される。なお、フロア階表示エリアのプルダウンリストから希望の階層を選択することができる。図形表示エリア３０には、各種複数の遊技機図形が表示される。クライアント端末１３，１４のディスプレイ１７，１８に表示された図５のレイアウト作成画面のうち、図形表示エリア３０に表示された遊技機図形からフロア間取図表示エリア３１に描画する遊技機図形を選択した後、その遊技機図形の上にカーソルを合わせ、その遊技機図形をドラッグアンドドロップしてフロア間取図表示エリア３１の所定の箇所に書き入れる（間取図更新手段）。
【００５５】
なお、図５のフロア間取図表示エリア３１では、フロアに各遊技機図形を個々に描画することで、それら遊技機図形をフロア間取図表示エリア３１に書き入れることができる他、１つの遊技機図形をフロア間取図表示エリア３１に書き入れた後、その遊技機図形を所定の方向へコピーし、同一かつ複数個の遊技機図形を所定の方向へ並べることもできる。また、書き入れた遊技機図形をドラッグしつつ移動させることで、フロア間取図表示エリア３１における遊技機図形の位置を変えることができる。遊技機図形をフロア間取図表示エリア３１に書き入れると、図６に示すように、書き入れた遊技機の登録事項入力エリア３２がレイアウト作成画面に表示される。登録事項入力エリア３２には、機器番号表示エリア、機器名表示エリア、メーカー表示エリア、機器寸法（幅、奥行き、高さ）表示エリア、機器重量表示エリア、消費電力表示エリア、ジャンル表示エリア、金額設定エリア、機器の登録ボタン、キャンセルボタンが表示される。
【００５６】
機器番号表示エリアには、書き込んだ遊技機図形Ｍ５の遊技機を特定する遊技機識別番号が表示され、機器名表示エリアには、書き込んだ遊技機図形Ｍ５の遊技機の遊技機名が表示される。メーカー表示エリアには、遊技機の製造メーカー名が表示され、機器寸法表示エリアには、遊技機の幅や奥行き、高さが表示される。機器重量表示エリアには、遊技機の重量が表示され、消費電力表示エリアには、遊技機の消費電力が表示される。ジャンル表示エリアには、遊技機のジャンル（ビデオゲーム、カードゲーム、メダルゲーム、プライズゲーム、パチンコゲーム、パチスロゲーム、メダル貸出、ロールプレイングゲーム、シューティングゲーム、レーシングゲーム、アドベンチャーゲーム、シミュレーションゲーム、格闘技ゲーム等）が表示される。
【００５７】
金額設定エリアでは、書き込んだ遊技機の利用回数および利用回数に対する利用料金が表示される。それら情報に変更がない場合は、キャンセルボタンを押す。表示された各情報はクライアント端末１３，１４の店舗データファイルやサーバ１５の遊技機データファイルにあらかじめ格納されている情報である。なお、機器番号表示エリアに表示された各情報は自由に変更することができる。各情報を変更した後、機器の登録ボタンを押すと、変更した情報を含む遊技機の各情報がクライアント端末１３，１４の店舗データファイルに格納される。変更後の機器情報は、クライアント端末１３，１４からサーバ１５に送信され、サーバ１５の遊技機データファイルに格納される。
【００５８】
各遊技機図形Ｍ１〜Ｍ７の書き込みおよび登録が終了すると、図７に示すように、各遊技機図形Ｍ１〜Ｍ７がフロア間取図表示エリア３１に並ぶ。保存ボタン２７を押すと、クライアント端末１３，１４は、その時点におけるレイアウト作成画面データを店舗データファイルに格納する（作成画面記憶手段）。クライアント端末１３，１４は、格納したレイアウト作成画面をディスプレイ１７，１８に表示する（作成画面出力手段）。レイアウト作成画面は、プリンタから出力される（作成画面出力手段）。また、格納したレイアウト作成画面データをサーバ１５に送信（返信）する（間取図返信手段）。サーバ１５は、クライアント端末１３，１４から送信されたレイアウト作成画面データを遊技機データファイルに記憶する（間取図記憶手段）。
【００５９】
クライアント端末１３，１４は、間取図の新規作成が終了した後、作成した間取図の間取図届出書１９の送信をサーバ１５に要求することができる。保存ボタン２７を押すと、ディスプレイ１７，１８に間取図届出書送信ボタン、変更届出書送信ボタンが表示される。間取図届出書送信ボタンを押し、図７の間取図表示エリア３１に表示された間取図の間取図届出書１９の送信をサーバ１５に要求すると、サーバ１５は、図７の間取図表示エリア３１に表示された遊技機図形Ｍ１〜Ｍ７に続き番号を設定して間取図届出書１９を作成した後（間取図届出書作成手段）、作成した間取図届出書１９を遊技機データファイルに格納するとともに（間取図届出書記憶手段）、その間取図届出書１９をクライアント端末１３，１４に送信する（間取図届出書送信手段）。クライアント端末１３，１４に送信される間取図届出書１９として図２を援用し、その図示は省略する。クライアント端末１３，１４は、サーバ１５から送信された間取図届出書１９を受信し、その間取図届出書１９を店舗データファイルに格納するとともに（間取図届出書記憶手段）、間取図届出書１９をディスプレイ１７，１８に表示する（間取図届出書出力手段）。間取図届出書１９は、プリンタから出力される（間取図届出書出力手段）。
【００６０】
また、変更届出書送信ボタンを押し、図７の間取図表示エリア３１に表示された遊技機の変更届出書２０，２１の送信をサーバ１５に要求すると、サーバ１５は、図７の間取図表示エリア３１に表示された間取図に基づいて、変更届出書２０，２１を作成した後（変更届出書作成手段）、作成した変更届出書２０，２１を遊技機データファイルに格納するとともに（変更届出書記憶手段）、その変更届出書２０，２１をクライアント端末１３，１４に送信する（変更届出書送信手段）。クライアント端末１３，１４に送信される変更届出書２０，２１として図３，４を援用し、その図示は省略する。クライアント端末１３，１４は、サーバから送信された変更届出書２０，２１を受信し、その変更届出書２０，２１を店舗データファイルに格納するとともに（変更届出書記憶手段）、変更届出書２０，２１をディスプレイ１７，１８に表示する（変更届出書出力手段）。変更届出書２０，２１は、プリンタから出力される（変更届出書出力手段）。アミューズメント施設１１，１２では、プリンタから出力した間取図届出書１９および変更届出書２０，２１をそのまま行政機関に提出する。
【００６１】
このシステム１０は、クライアント端末１３，１４を介して遊技機図形Ｍ１〜Ｍ７をフロア間取図の中に描画することでフロア間取図を更新することができ、クライアント端末１３，１４を管理するアミューズメント施設１１，１２において遊技機レイアウトを自由に構築することができる。このシステム１０は、クライアント端末１３，１４によってフロア間取図が更新されたとしても、サーバ１５がフロア間取図の更新に対応した間取図届出書１９や変更届出書２０，２１を作成するから、アミューズメント施設１１，１２においてフロア間取図更新にともなう間取図届出書や変更届出書の変更を行う必要はなく、間取図届出書や変更届出書の変更にかかる時間と手間とを省くことができる。
【００６２】
図８は、各遊技機図形Ｍ２のゲーム内容識別情報を変更する場合のレイアウト作成画面を示す図である。クライアント端末１３，１４では、フロア間取図表示エリア３１に表示された遊技機図形Ｍ１〜Ｍ７のうち、ゲーム内容識別情報を変更する遊技機図形Ｍ２を選択し、その遊技機図形Ｍ２の上にカーソルを合わせ、その遊技機図形Ｍ２を反転させた後、右クリックすると、図８に示すように、その遊技機図形Ｍ２（遊技機）のゲーム内容入力エリアおよびゲーム内容プルダウンリストを表示したゲーム内容表示エリア３３が表示される。図８に点線で囲まれた遊技機図形Ｍ２では、１つの遊技機図形Ｍ２のゲーム内容識別情報（ビデオゲーム、カードゲーム、メダルゲーム、プライズゲーム、パチンコゲーム、パチスロゲーム）が表示されている。図８に一点鎖線で囲まれた遊技機図形Ｍ２では、同一かつ複数のゲーム機図形グループのゲーム内容識別情報（ロールプレイングゲーム、シューティングゲーム、アドベンチャーゲーム、カクトーギゲーム、シミュレーションゲーム）が表示されている。
【００６３】
ゲーム内容表示エリア３３に表示されたゲーム内容入力エリアに所定のゲーム内容を入力またはゲーム内容プルダウンリストからゲーム内容を選択した後、保存ボタン２７を押すと、選択された遊技機図形Ｍ２のゲーム内容が選択されたゲーム内容に変更される（間取図更新手段）。クライアント端末１３，１４は、ゲーム内容を変更した後のレイアウト作成画面データを店舗データファイルに格納する（作成画面記憶手段）。クライアント端末１３，１４は、図８のレイアウト作成画面をディスプレイ１７，１８に表示する（作成画面出力手段）。図８のレイアウト作成画面は、プリンタから出力される（作成画面出力手段）。また、格納したレイアウト作成画面データをサーバ１５に送信（返信）する（間取図返信手段）。サーバ１５は、クライアント端末１３，１４から送信されたレイアウト作成画面データを遊技機データファイルに記憶する（間取図記憶手段）。
【００６４】
クライアント端末１３，１４は、ゲーム内容を変更した後の間取図届出書１９の送信をサーバ１５に要求することができる。保存ボタン２７を押すと、ディスプレイ１７，１８に間取図届出書送信ボタン、変更届出書送信ボタンが表示される。間取図届出書送信ボタンを押し、図８の間取図表示エリア３１に表示された間取図の間取図届出書１９の送信をサーバ１５に要求すると、サーバ１５は、図８の間取図表示エリア３１に表示された遊技機図形Ｍ１〜Ｍ７に続き番号を設定して間取図届出書１９を作成した後（間取図届出書作成手段）、作成した間取図届出書１９を遊技機データファイルに格納するとともに（間取図届出書記憶手段）、その間取図届出書１９をクライアント端末１３，１４に送信する（間取図届出書送信手段）。クライアント端末１３，１４に送信される間取図届出書１９として図２を援用し、その図示は省略する。クライアント端末１３，１４は、サーバ１５から送信された間取図届出書１９を受信し、その間取図届出書１９を店舗データファイルに格納するとともに（間取図届出書記憶手段）、間取図届出書１９をディスプレイ１７，１８に表示する（間取図届出書出力手段）。間取図届出書１９は、プリンタから出力される（間取図届出書出力手段）。
【００６５】
また、変更届出書送信ボタンを押し、図８の間取図表示エリア３１に表示された遊技機図形Ｍ１〜Ｍ７の変更届出書２０，２１の送信をサーバ１５に要求すると、サーバ１５は、図８の間取図表示エリア３１に表示された間取図に基づいて、変更届出書２０，２１を作成した後（変更届出書作成手段）、作成した変更届出書２０，２１を遊技機データファイルに格納するとともに（変更届出書記憶手段）、その変更届出書２０，２１をクライアント端末１３，１４に送信する（変更届出書送信手段）。クライアント端末１３，１４に送信される変更届出書２０，２１として図３，４を援用し、その図示は省略する。クライアント端末１３，１４は、サーバ１５から送信された変更届出書２０，２１を受信し、その変更届出書２０，２１を店舗データファイルに格納するとともに（変更届出書記憶手段）、変更届出書２０，２１をディスプレイ１７，１８に表示する（変更届出書出力手段）。変更届出書２０，２１は、プリンタから出力される（変更届出書出力手段）。アミューズメント施設１１，１２では、プリンタから出力した間取図届出書１９および変更届出書２０，２１をそのまま行政機関に提出する。
【００６６】
このシステム１０は、遊技機の筐体を同一にした状態で、その遊技機のゲーム内容を自由に変更することができるから、ゲーム内容のみの変更が必要になったとしても、アミューズメント施設１１，１２において遊技機の筐体を変えずにアプリケーションのみを変更することができ、フロア間取図においてゲーム内容のみの変更に対応することができる。このシステム１０は、遊技機の筐体を変更しつつ、その遊技機のゲーム内容を自由に変更することができるから、フロア間取図において各種複数の筐体の変更にともなうゲーム内容の変更に対応することができる。システム１０は、クライアント端末１３，１４によって遊技機図形Ｍ１〜Ｍ７のゲーム内容が変更されたとしても、サーバ１５がそれに対応した間取図届出書１９や変更届出書２０，２１を作成するから、アミューズメント施設１１，１２においてゲーム内容変更にともなう間取図届出書１９や変更届出書２０，２１の変更を行う必要はなく、間取図届出書１９や変更届出書２０，２１の変更にかかる時間と手間とを省くことができる。
【００６７】
図９は、フロア間取図表示エリア３１に表示された遊技機図形Ｍ１〜Ｍ７を改変した後のレイアウト作成画面を示す図であり、図１０は、図９のフロア間取図から成された間取図届出書３４の一例を示す図である。クライアント端末１３，１４は、ディスプレイ１７，１８に表示されたフロア間取図表示エリア３１において、各遊技機図形Ｍ１〜Ｍ７を追加、変更、削除することができる（間取図更新手段）。初期画面の間取図更新ボタンを押すと、ディスプレイ１７，１８には、対象店舗入力エリアおよび対象店舗のプルダウンリスト、フロア階層入力エリア、実行ボタン、クリアボタン、キャンセルボタンが表示される。対象店舗入力エリアに対象店舗名を入力または対象店舗のプルダウンリストから対象店舗を選択し、フロア階層入力エリアにフロア階層を入力した後、実行ボタンを押す。実行ボタンを押すと、サーバ１５は、選択された店舗の選択された階層におけるレイアウト作成画面データを遊技機データファイルから抽出し、そのレイアウト作成画面データをクライアント端末１３，１４に送信する（作成画面送信手段）。
【００６８】
クライアント端末１３，１４は、サーバ１５から送信されたレイアウト作成画面データを受信し（作成画面受信手段）、そのレイアウト作成画面をディスプレイ１７，１８に表示する（作成画面出力手段）。レイアウト作成画面のフロア間取図表示エリア３１において、図形表示エリア３０に表示された遊技機図形から追加する遊技機図形を選択し、その遊技機図形をドラッグアンドドロップによってフロア間取図表示エリア３１の所定の箇所に追加する。また、図形表示エリア３０に表示された遊技機図形から変更する遊技機図形を選択し、その遊技機図形をドラッグしつつ変更前の遊技機図形の上にドロップすると、変更前の遊技機図形が変更する遊技機図形に入れ代わる。さらに、フロア間取図表示エリア３１に表示された遊技機図形のうち、削除する遊技機図形の上にカーソルを置き、その遊技機図形を反転させた後、キーボードのデリートキーを押すことで、その遊技機図形をフロア間取図表示エリア３１から削除することができる。遊技機図形を追加、変更すると、追加、変更にかかる遊技機図形の遊技機情報がレイアウト作成画面に表示される（図６参照）。それら遊技機情報に変更がない場合は、キャンセルボタンを押す。図９では、図７のレイアウト作成画面のフロア間取図表示エリア３１に遊技機図形Ｍ５が追加され、フロア間取図表示エリア３１に表示された遊技機図形Ｍ４，Ｍ５が遊技機図形Ｍ１，Ｍ２，Ｍ７に変更され、さらに、フロア間取図表示エリア３１に表示された遊技機図形Ｍ５が削除されている。
【００６９】
クライアント端末１３，１４は、遊技機図形Ｍ１〜Ｍ７を改変した後の間取図届出書３４の送信をサーバ１５に要求することができる。保存ボタン２７を押すと、ディスプレイ１７，１８に間取図届出書送信ボタン、変更届出書送信ボタンが表示される。間取図届出書送信ボタンを押し、図９の間取図表示エリア３１に表示された間取図の間取図届出書３４の送信をサーバ１５に要求すると、サーバ１５は、図９の間取図表示エリア３１に表示された遊技機図形Ｍ１〜Ｍ７に続き番号を設定して間取図届出書３４を作成した後（間取図届出書作成手段）、作成した間取図届出書３４を遊技機データファイルに格納するとともに（間取図届出書記憶手段）、その間取図届出書３４をクライアント端末１３，１４に送信する（間取図届出書送信手段）。クライアント端末１３，１４は、サーバ１５から送信された間取図届出書３４を受信し、その間取図届出書３４を店舗データファイルに格納するとともに（間取図届出書記憶手段）、図１０に示すように、間取図届出書３４をディスプレイ１７，１８に表示する（間取図届出書出力手段）。間取図届出書３４は、プリンタから出力される（間取図届出書出力手段）。
【００７０】
また、変更届出書送信ボタンを押し、図９の間取図表示エリア３１に表示された遊技機図形Ｍ１〜Ｍ７の変更届出書の送信をサーバ１５に要求すると、サーバ１５は、図９の間取図表示エリア３１に表示された間取図に基づいて、変更届出書（図３，４援用）を作成した後（変更届出書作成手段）、作成した変更届出書を遊技機データファイルに格納するとともに（変更届出書記憶手段）、その変更届出書をクライアント端末１３，１４に送信する（変更届出書送信手段）。クライアント端末１３，１４は、サーバ１５から送信された変更届出書を受信し、その変更届出書を店舗データファイルに格納するとともに（変更届出書記憶手段）、変更届出書をディスプレイ１７，１８に表示する（変更届出書出力手段）。変更届出書は、プリンタから出力される（変更届出書出力手段）。アミューズメント施設１１，１２では、プリンタから出力した間取図届出書３４および変更届出書をそのまま行政機関に提出する。
【００７１】
このシステム１０は、フロア間取図に遊技機図形Ｍ１〜Ｍ７を自由に書き入れることや遊技機図形Ｍ１〜Ｍ７を自由に追加することができるから、クライアント端末１３，１４においてフロア間取図に各種複数の遊技機図形Ｍ１〜Ｍ７を自由に配置することができ、アミューズメント施設１１，１２において各フロアの希望の遊技機レイアウトを構築することができる。このシステム１０は、フロア間取図から遊技機図形Ｍ１〜Ｍ７を自由に削除することや遊技機図形Ｍ１〜Ｍ７を自由に変更することができるから、フロア間取図において遊技機図形Ｍ１〜Ｍ７の配置を自由に変えることができ、アミューズメント施設１１，１２において各フロアの希望の遊技機レイアウトを構築することができる。システム１０は、クライアント端末１３，１４によってフロア間取図にあらたに遊技機図形Ｍ１〜Ｍ７が書き込まれたり、遊技機図形Ｍ１〜Ｍ７の追加、変更、削除が行われたとしても、サーバ１５がそれらに対応した間取図届出書３４や変更届出書を作成するから、アミューズメント施設１１，１２においてフロア間取図更新にともなう間取図届出書３４や変更届出書の変更を行う必要はなく、間取図届出書３４や変更届出書の変更にかかる時間と手間とを省くことができる。
【００７２】
図１１は、図形表示エリア３０の遊技機図形をメーカー別に表示したレイアウト作成画面の一例を示す図であり、図１２は、図１１のフロア間取図から作成された間取図届出書３５の一例を示す図である。システム１０では、図形表示エリア３０の遊技機図形をメーカー別に表示させることができ、メーカー別の遊技機図形をフロア間取図表示エリア３１に自由に描画することができる。メーカープルダウンリスト２４から希望のメーカーを選択した後、検索ボタン２９を押す。検索ボタン２９を押すと、選択されたメーカーの遊技機の遊技機図形が図形表示エリア３０に表示される。間取図新規作成の場合は、図形表示エリア３０に表示された特定メーカーの遊技機図形からフロア間取図表示エリア３１に描画する遊技機図形を選択した後、その遊技機図形の上にカーソルを合わせ、その遊技機図形をドラッグアンドドロップによってフロア間取図表示エリア３１の所定の箇所に書き入れる（間取図更新手段）。
【００７３】
間取図更新の場合は、レイアウト作成画面のフロア間取図表示エリア３１において、図形表示エリア３０に表示された特定メーカーの遊技機図形から追加する遊技機図形を選択し、その遊技機図形をドラッグアンドドロップによってフロア間取図表示エリア３１の所定の箇所に追加する。また、図形表示エリア３０に表示された特定メーカーの遊技機図形から変更する遊技機図形を選択し、その遊技機図形をドラッグしつつ変更前の遊技機図形の上にドロップすると、変更前の遊技機図形が変更する遊技機図形に入れ代わる。特定メーカーの遊技機図形を書き入れ、または、特定メーカーの遊技機図形を追加、変更すると、書き入れた遊技機図形や追加、変更にかかる遊技機図形の遊技機情報がレイアウト作成画面に表示される（図６参照）。それら遊技機情報に変更がない場合は、キャンセルボタンを押す。
【００７４】
クライアント端末１３，１４は、メーカー別の遊技機図形Ｍ１０〜Ｍ１６を描画した後の間取図届出書３５の送信をサーバ１５に要求することができる。保存ボタン２７を押すと、ディスプレイ１７，１８に間取図届出書送信ボタン、変更届出書送信ボタンが表示される。間取図届出書送信ボタンを押し、図１１の間取図表示エリア３１に表示された間取図の間取図届出書３５の送信をサーバ１５に要求すると、サーバ１５は、図１１の間取図表示エリア３１に表示された遊技機図形Ｍ１０〜Ｍ１６に続き番号を設定して間取図届出書３５を作成した後（間取図届出書作成手段）、作成した間取図届出書３５を遊技機データファイルに格納するとともに（間取図届出書記憶手段）、その間取図届出書３５をクライアント端末１３，１４に送信する（間取図届出書送信手段）。クライアント端末１３，１４は、サーバ１５から送信された間取図届出書３５を受信し、その間取図届出書３５を店舗データファイルに格納するとともに（間取図届出書記憶手段）、図１２に示すように、間取図届出書３５をディスプレイ１７，１８に表示する（間取図届出書出力手段）。間取図届出書３５は、プリンタから出力される（間取図届出書出力手段）。
【００７５】
また、変更届出書送信ボタンを押し、図１１の間取図表示エリア３１に表示された遊技機図形Ｍ１０〜Ｍ１６の変更届出書の送信をサーバ１５に要求すると、サーバ１５は、図１１の間取図表示エリア３１に表示された間取図に基づいて、変更届出書（図３，４援用）を作成した後（変更届出書作成手段）、作成した変更届出書を遊技機データファイルに格納するとともに（変更届出書記憶手段）、その変更届出書をクライアント端末１３，１４に送信する（変更届出書送信手段）。クライアント端末１３，１４は、サーバから送信された変更届出書を受信し、その変更届出書を店舗データファイルに格納するとともに（変更届出書記憶手段）、変更届出書をディスプレイ１７，１８に表示する（変更届出書出力手段）。変更届出書は、プリンタから出力される（変更届出書出力手段）。アミューズメント施設１１，１２では、プリンタから出力した間取図届出書３５および変更届出書をそのまま行政機関に提出する。
【００７６】
このシステム１０は、アミューズメント施設１１，１２において遊技機のメーカーを指定しつつ、そのメーカーの遊技機図形をフロア間取図に描画することができるから、人気メーカーの遊技機をフロア間取図に配置することができ、希望のメーカーの遊技機を配置した遊技機レイアウトを構築することができる。このシステム１０は、特定の製造メーカーの遊技機図形を配置したフロア間取図に基づいてサーバ１５が間取図届出書３５や変更届出書を作成するから、各アミューズメント施設１１，１２において間取図届出書３５や変更届出書を作成する場合の時間と手間とを省くことができる。
【００７７】
図１３は、図形表示エリア３０の遊技機図形をジャンル別に表示したレイアウト作成画面の一例を示す図であり、図１４は、図１３のフロア間取図から作成された間取図届出書３６の一例を示す図である。システム１０では、図形表示エリア３０の遊技機図形をジャンル別に表示させることができ、ジャンル別の遊技機図形をフロア間取図表示エリア３１に自由に描画することができる。ジャンルプルダウンリスト２５から希望のジャンルを選択した後、検索ボタン２９を押す。検索ボタン２９を押すと、選択されたジャンルの遊技機の遊技機図形が図形表示エリア３０に表示される。間取図新規作成の場合は、図形表示エリア３０に表示された特定ジャンルの遊技機図形からフロア間取図表示エリア３１に描画する遊技機図形を選択した後、その遊技機図形の上にカーソルを合わせ、その遊技機図形をドラッグアンドドロップによってフロア間取図表示エリア３１の所定の箇所に書き入れる（間取図更新手段）。
【００７８】
間取図更新の場合は、レイアウト作成画面のフロア間取図表示エリア３１において、図形表示エリア３０に表示された特定ジャンルの遊技機図形から追加する遊技機図形を選択し、その遊技機図形をドラッグアンドドロップによってフロア間取図表示エリア３１の所定の箇所に追加する。また、図形表示エリア３０に表示された特定ジャンルの遊技機図形から変更する遊技機図形を選択し、その遊技機図形をドラッグしつつ変更前の遊技機図形の上にドロップすると、変更前の遊技機図形が変更する遊技機図形に入れ代わる。特定ジャンルの遊技機図形を書き入れ、または、特定ジャンルの遊技機図形を追加、変更すると、書き入れた遊技機図形や追加、変更にかかる遊技機図形の遊技機情報がレイアウト作成画面に表示される（図６参照）。それら遊技機情報に変更がない場合は、キャンセルボタンを押す。
【００７９】
クライアント端末１３，１４は、ジャンル別の遊技機図形Ｍ２０〜Ｍ２７を描画した後の間取図届出書３６の送信をサーバ１５に要求することができる。保存ボタン２７を押すと、ディスプレイ１７，１８に間取図届出書送信ボタン、変更届出書送信ボタンが表示される。間取図届出書送信ボタンを押し、図１３の間取図表示エリア３１に表示された間取図の間取図届出書３６の送信をサーバ１５に要求すると、サーバ１５は、図１３の間取図表示エリア３１に表示された遊技機図形Ｍ２０〜Ｍ２７に続き番号を設定して間取図届出書３６を作成した後（間取図届出書作成手段）、作成した間取図届出書３６を遊技機データファイルに格納するとともに（間取図届出書記憶手段）、その間取図届出書３６をクライアント端末１３，１４に送信する（間取図届出書送信手段）。クライアント端末１３，１４は、サーバ１５から送信された間取図届出書３６を受信し、その間取図届出書３６を店舗データファイルに格納するとともに（間取図届出書記憶手段）、図１４に示すように、間取図届出書３６をディスプレイ１７，１８に表示する（間取図届出書出力手段）。間取図届出書３６は、プリンタから出力される（間取図届出書出力手段）。
【００８０】
また、変更届出書送信ボタンを押し、図１３の間取図表示エリア３１に表示された遊技機図形Ｍ２０〜Ｍ２７の変更届出書の送信をサーバ１５に要求すると、サーバ１５は、図１３の間取図表示エリア３１に表示された間取図に基づいて、変更届出書（図３，４援用）を作成した後（変更届出書作成手段）、作成した変更届出書を遊技機データファイルに格納するとともに（変更届出書記憶手段）、その変更届出書をクライアント端末１３，１４に送信する（変更届出書送信手段）。クライアント端末１３，１４は、サーバ１５から送信された変更届出書を受信し、その変更届出書を店舗データファイルに格納するとともに（変更届出書記憶手段）、変更届出書をディスプレイ１７，１８に表示する（変更届出書出力手段）。変更届出書は、プリンタから出力される（変更届出書出力手段）。アミューズメント施設１１，１２では、プリンタから出力した間取図届出書３６および変更届出書をそのまま行政機関に提出する。
【００８１】
このシステム１０は、アミューズメント施設１１，１２において遊技機のジャンルを指定しつつ、そのジャンルの遊技機図形をフロア間取図に描画することができるから、人気ジャンルの遊技機をフロア間取図に配置することができ、希望のジャンルの遊技機を配置した遊技機レイアウトを構築することができる。このシステム１０は、特定のジャンルの遊技機図形を配置したフロア間取図に基づいてサーバ１５が間取図届出書３６を作成するから、各アミューズメント施設１１，１２において間取図届出書３６を作成する場合の時間と手間とを省くことができる。
【００８２】
図１５は、図形表示エリア３０の遊技機図形を機器名別に表示したレイアウト作成画面の一例を示す図であり、図１６は、図１５のフロア間取図から作成された間取図届出書３７の一例を示す図である。システム１０では、図形表示エリア３０の遊技機図形を機器名別に表示させることができ、機器名別の遊技機図形をフロア間取図表示エリア３１に自由に描画することができる。機器名プルダウンリスト２６から希望の機器名を選択した後、検索ボタン２９を押す。検索ボタン２９を押すと、選択された機器名の遊技機の遊技機図形が図形表示エリア３０に表示される。間取図新規作成の場合は、図形表示エリア３０に表示された特定機器名の遊技機図形からフロア間取図表示エリア３１に描画する遊技機図形を選択した後、その遊技機図形の上にカーソルを合わせ、その遊技機図形をドラッグアンドドロップによってフロア間取図表示エリア３１の所定の箇所に書き入れる（間取図更新手段）。
【００８３】
間取図更新の場合は、レイアウト作成画面のフロア間取図表示エリア３１において、図形表示エリア３０に表示された特定機器名の遊技機図形から追加する遊技機図形を選択し、その遊技機図形をドラッグアンドドロップによってフロア間取図表示エリア３１の所定の箇所に追加する。また、図形表示エリア３０に表示された特定機器名の遊技機図形から変更する遊技機図形を選択し、その遊技機図形をドラッグしつつ変更前の遊技機図形の上にドロップすると、変更前の遊技機図形が変更する遊技機図形に入れ代わる。特定機器名の遊技機図形を書き入れ、または、特定機器名の遊技機図形を追加、変更すると、書き入れた遊技機図形や追加、変更にかかる遊技機図形の遊技機情報がレイアウト作成画面に表示される（図６参照）。それら遊技機情報に変更がない場合は、キャンセルボタンを押す。
【００８４】
クライアント端末１３，１４は、機器名別の遊技機図形Ｍ３０〜Ｍ３８を描画した後の間取図届出書３７の送信をサーバ１５に要求することができる。保存ボタン２７を押すと、ディスプレイ１７，１８に間取図届出書送信ボタン、変更届出書送信ボタンが表示される。間取図届出書送信ボタンを押し、図１５の間取図表示エリア３１に表示された間取図の間取図届出書３７の送信をサーバ１５に要求すると、サーバ１５は、図１５の間取図表示エリア３１に表示された遊技機図形Ｍ３０〜Ｍ３８に続き番号を設定して間取図届出書３７を作成した後（間取図届出書作成手段）、作成した間取図届出書３７を遊技機データファイルに格納するとともに（間取図届出書格納手段）、その間取図届出書３７をクライアント端末１３，１４に送信する（間取図届出書送信手段）。クライアント端末１３，１４は、サーバ１５から送信された間取図届出書３７を受信し、その間取図届出書３７を店舗データファイルに格納するとともに（間取図届出書送信手段）、図１６に示すように、間取図届出書３７をディスプレイ１７，１８に表示する（間取図届出書出力手段）。間取図届出書３７は、プリンタから出力される（間取図届出書出力手段）。
【００８５】
また、変更届出書送信ボタンを押し、図１５の間取図表示エリア３１に表示された遊技機図形Ｍ３０〜Ｍ３８の変更届出書の送信をサーバ１５に要求すると、サーバ１５は、図１５の間取図表示エリア３１に表示された間取図に基づいて、変更届出書（図３，４援用）を作成した後（変更届出書作成手段）、作成した変更届出書を遊技機データファイルに格納するとともに（変更届出書記憶手段）、その変更届出書をクライアント端末１３，１４に送信する（変更届出書送信手段）。クライアント端末１３，１４は、サーバから送信された変更届出書を受信し、その変更届出書を店舗データファイルに格納するとともに（変更届出書記憶手段）、変更届出書をディスプレイ１７，１８に表示する（変更届出書出力手段）。変更届出書は、プリンタから出力される（変更届出書出力手段）。アミューズメント施設１１，１２では、プリンタから出力した間取図届出書３７および変更届出書をそのまま行政機関に提出する。
【００８６】
このシステム１０は、アミューズメント施設１１，１２において遊技機の機器名を指定しつつ、その機器名の遊技機図形をフロア間取図に描画することができるから、人気の遊技機をフロア間取図に配置することができ、希望の遊技機を設置した遊技機レイアウトを構築することができる。このシステム１０は、特定の機器名の遊技機図形を配置したフロア間図に基づいてサーバ１５が間取図届出書３７や変更届出書を作成するから、各アミューズメント施設１１，１２において間取図届出書３７や変更届出書を作成する場合の時間と手間とを省くことができる。
【００８７】
クライアント端末１３，１４は、過去から現在までの所定の日付における間取図届出書や変更届出書の送信をサーバ１５に要求することができる。所定日付における間取図届出書や変更届出書の送信を要求するには、レイアウト作成画面に表示された開くボタン２８を押す。開くボタン２８を押すと、フロア階層入力エリア、日付入力エリア、ファイル番号入力エリア、実行ボタン、クリアボタン、キャンセルボタンが表示される。フロア階層入力エリアにフロア階層を入力し、日付入力エリアに過去の日付を入力した後、実行ボタンを押す。実行ボタンを押すと、指定日付における間取図届出書や変更届出書の送信要求がサーバ１５へ送信される。
【００８８】
サーバ１５は、クライアント端末１３，１４から所定日付における間取図届出書や変更届出書の送信要求を受信すると、そのクライアント端末１３，１４を管理する店舗の指定されたフロア階層の指定日付における間取図届出書や変更届出書をクライアント端末１３，１４に送信する（間取図届出書送信手段、変更届出書送信手段）。クライアント端末１３，１４は、サーバ１５から送信された指定日付における間取図届出書や変更届出書を店舗データファイルに格納する（間取図届出書記憶手段、変更届出書記憶手段）。クライアント端末１３，１４は、指定日付における間取図届出書や変更届出書をディスプレイ１７，１８に表示する（間取図届出書出力手段、変更届出書出力手段）。指定日付における間取図届出書や変更届出書は、プリンタから出力される（間取図届出書出力手段、変更届出書出力手段）。
【００８９】
また、過去の間取図届出書や変更届出書のファイル番号がわかる場合は、レイアウト作成画面に表示された開くボタン２８を押し、ファイル番号入力エリアにファイル番号を入力した後、実行ボタンを押す。実行ボタンを押すと、入力されたファイル番号、そのファイル番号に対応する間取図届出書や変更届出書の送信要求がクライアント端末１３，１４からサーバ１５へ送信される。サーバ１５は、クライアント端末１３，１４からファイル番号と間取図届出書や変更届出書の送信要求とを受信すると、そのクライアント端末１３，１４を管理する店舗の指定されたファイル番号の間取図届出書や変更届出書をクライアント端末１３，１４に送信する（間取図届出書送信手段、変更届出書送信手段）。クライアント端末１３，１４は、サーバ１５から送信された指定ファイル番号の間取図届出書や変更届出書を店舗データファイルに格納する（間取図届出書記憶手段、変更届出書記憶手段）。クライアント端末１３，１４は、指定ファイル番号の間取図届出書や変更届出書をディスプレイ１７，１８に表示する（間取図届出書出力手段、変更届出書出力手段）。指定ファイル番号の間取図届出書や変更届出書は、プリンタから出力される（間取図届出書出力手段、変更届出書出力手段）。
【図面の簡単な説明】
【００９０】
【図１】一例として示す届出書作成システムの構成図。
【図２】ディスプレイに表示された間取図届出書の一例を示す図。
【図３】ディスプレイに表示された変更届出書の一例を示す図。
【図４】図３から続く変更届出書の一例を示す図。
【図５】ディスプレイに表示されたレイアウト作成画面の一例を示す図。
【図６】フロア間取図表示エリアに描画した遊技機図形の遊技機情報を表示したレイアウト作成画面を示す図。
【図７】遊技機図形を書き込んだ後のレイアウト作成画面を示す図。
【図８】各遊技機図形のゲーム内容識別情報を変更する場合のレイアウト作成画面を示す図。
【図９】フロア間取図表示エリアに表示された遊技機図形を改変した後のレイアウト作成画面を示す図。
【図１０】図９のフロア間取図から成された間取図届出書の一例を示す図。
【図１１】図形表示エリアの遊技機図形をメーカー別に表示したレイアウト作成画面の一例を示す図。
【図１２】図１１のフロア間取図から作成された間取図届出書の一例を示す図。
【図１３】図形表示エリアの遊技機図形をジャンル別に表示したレイアウト作成画面の一例を示す図。
【図１４】図１３のフロア間取図から作成された間取図届出書の一例を示す図。
【図１５】図形表示エリアの遊技機図形をジャンル別に表示したレイアウト作成画面の一例を示す図。
【図１６】図１５のフロア間取図から作成された間取図届出書の一例を示す図。
【符号の説明】
【００９１】
１０    届出書作成システム
１１    アミューズメント施設
１２    アミューズメント施設
１３    クライアント端末
１４    クライアント端末
１５    サーバ（サーバ装置）
１６    インターネット
１７    ディスプレイ
１８    ディスプレイ
Ｍ１〜Ｍ７  遊技機図形
Ｍ１０〜Ｍ１６  遊技機図形
Ｍ２０〜Ｍ２７  遊技機図形
Ｍ３０〜Ｍ３８  遊技機図形
【図１】
2009271886.tif 000003
【図２】
2009271886.tif 000004
【図３】
2009271886.tif 000005
【図４】
2009271886.tif 000006
【図５】
2009271886.tif 000007
【図６】
2009271886.tif 000008
【図７】
2009271886.tif 000009
【図８】
2009271886.tif 000010
【図９】
2009271886.tif 000011
【図１０】
2009271886.tif 000012
【図１１】
2009271886.tif 000013
【図１２】
2009271886.tif 000014
【図１３】
2009271886.tif 000015
【図１４】
2009271886.tif 000016
【図１５】
2009271886.tif 000017
【図１６】
2009271886.tif 000018